(57)【要約】  非自励コンバータ１００用の制御回路１が、コンバータ１００に入る第１の信号のゼロ交差後にコンバータ１００を始動させるためにコンバータ１００に送られる制御信号を導出するためのネットワーク回路１１〜１６を設けられる。これらの制御信号は、第１の信号から導出される。ネットワーク回路１１〜１６は、抵抗回路１４、１５と主コンデンサ１３との直列接続を備えることがあり、且つ、制御信号によってコンバータ１００のスイッチング素子１０５を制御するためのブレークオーバ回路１１を備えることもある。制御回路１は、第１の信号に応じて、伝送される電力の量を制御するための制御信号を遅延するための第１の調整器回路１７〜２９を更に備えることがあり、更に、１つ又は複数の負荷パラメータ信号に応じて、伝送される電力の量を制御するための制御信号を遅延するための第２の調整器回路３０、３１を備えることがある。
2016524891.tif 000002
【特許請求の範囲】
【請求項１】
コンバータを制御するための制御回路であって、前記コンバータが、ゼロ交差を含む第１の信号を、負荷に送られる第２の信号に変換し、前記第１の信号の前記ゼロ交差で変換を停止する種類のものであり、前記制御回路が、前記第１の信号を受信して、前記第１の信号から、前記第１の信号の前記ゼロ交差後に前記コンバータを始動させるために前記コンバータに送られる制御信号を導出するためのネットワーク回路を備え、前記ネットワーク回路が、前記第１の信号を受信するための直列接続を備え、且つブレークオーバ回路を備え、前記直列接続が、抵抗回路と主コンデンサとを備え、前記抵抗回路と前記主コンデンサとの共通の端子が、前記ブレークオーバ回路の一方の端子に結合され、前記ブレークオーバ回路の他方の端子が、前記制御信号によって前記コンバータのスイッチング素子を制御するために前記コンバータに結合され、
前記ネットワーク回路が、更にダイオードを備え、前記抵抗回路と前記主コンデンサとの前記共通の端子が、前記ダイオードの一方の端子に結合され、前記ダイオードの他方の端子が、前記コンバータの容量素子を制御するために前記コンバータに結合されている、
制御回路。
【請求項２】
前記抵抗回路が、１つ又は複数の抵抗を備え、前記ネットワーク回路が、前記１つ又は複数の抵抗の少なくとも１つに並列に結合された補助コンデンサを更に備える、請求項１に記載の制御回路。
【請求項３】
前記第１の信号に応じて、前記制御信号を遅延するための第１の調整器回路を更に備える、請求項１に記載の制御回路。
【請求項４】
前記第１の調整器回路が、第１のトランジスタを備え、前記第１のトランジスタの主電極が、前記ネットワーク回路の主コンデンサの端子に結合され、前記第１のトランジスタの制御電極が、基準素子の出力に結合されている、請求項３に記載の制御回路。
【請求項５】
前記基準素子の制御入力が、１つ又は複数のダイオードを介して、前記第１の信号を受信するための直列接続の共通の端子に結合されている、請求項４に記載の制御回路。
【請求項６】
前記直列接続が、抵抗とコンデンサとを備える、請求項５に記載の制御回路。
【請求項７】
前記直列接続が、同様の値の２つのコンデンサを備えて中心点を形成し、これら２つのコンデンサの一方が、更なる抵抗と更なるコンデンサとを備える更なる直列接続に並列に結合され、前記１つ又は複数のダイオードが、前記更なる抵抗と前記更なるコンデンサとの共通の端子に結合されている、請求項５に記載の制御回路。
【請求項８】
負荷パラメータ信号に応じて、前記制御信号を遅延するための第２の調整器回路を更に備える、請求項１に記載の制御回路。
【請求項９】
前記第２の調整器回路が、第２のトランジスタを備え、前記第２のトランジスタの主電極が、前記ネットワーク回路の主コンデンサの端子に結合され、前記第２のトランジスタの制御電極が、制御コンデンサに結合されている、請求項８に記載の制御回路。
【請求項１０】
前記制御電極が、更に、前記負荷の少なくとも一部に並列に結合されるように直列抵抗接続の共通の端子に結合され、前記負荷パラメータ信号が、前記負荷の前記少なくとも一部の間の電圧信号の振幅である、請求項９に記載の制御回路。
【請求項１１】
前記制御電極が、更に、前記負荷の少なくとも一部に直列に結合されるように抵抗に結合され、前記負荷パラメータ信号が、前記負荷の前記一部を通って流れる電流信号の振幅である、請求項９に記載の制御回路。
【請求項１２】
請求項１に記載の制御回路を備え、更に前記コンバータ及び／又は前記負荷を備える、デバイス。
【請求項１３】
前記第２の信号を前記コンバータから前記負荷に供給するための、前記コンバータと前記負荷との間に直列に結合されたインダクタと、
前記負荷を備える１つ又は複数のブランチに並列に結合されたサポートコンデンサと
を更に備える、請求項１２に記載のデバイス。
【発明の詳細な説明】
【技術分野】
【０００１】
本発明は、コンバータを制御するための制御回路に関する。更に、本発明は、デバイスに関する。
【０００２】
そのようなデバイスの例は、ドライバ、ランプ、及びそれらの一部である。
【背景技術】
【０００３】
米国特許出願公開第２０１２／００１３２５９Ａ１号は、シングルトランジスタコンバータ又はダブルトランジスタコンバータに基づく発光ダイオードストリングドライバ構成を開示する。
【０００４】
ゼロ交差を含む第１の信号を、負荷に送られる第２の信号に変換するための特定のコンバータは、第１の信号のゼロ交差で変換を停止する種類のものである。そのようなコンバータは、非自励コンバータとして知られている。
【０００５】
欧州特許出願公開第２２１７０４２Ａ１号は、コンバータを制御するための制御回路を開示する。コンバータは、ゼロ交差を含む第１の信号を、負荷に送られる第２の信号に変換するように構成される。制御回路は、コンバータに制御信号を提供するネットワーク回路を備える。制御信号は、第１の信号から導出されて、第１の信号のゼロ交差後にコンバータを始動させる働きをする。ネットワーク回路は、ブレークオーバ回路と、抵抗回路と、主コンデンサとを備える。抵抗回路と主コンデンサとの共通の端子が、ブレークオーバ回路の一方の端子に結合される。ブレークオーバ回路の他方の端子は、コンバータに結合されて、制御信号によってコンバータのスイッチング素子を制御するように構成される。
【発明の概要】
【発明が解決しようとする課題】
【０００６】
本発明の目的は、非自励コンバータ用の改良された制御回路を提供することである。本発明の更なる目的は、デバイスを提供することである。
【課題を解決するための手段】
【０００７】
第１の態様によれば、コンバータを制御するための制御回路であって、コンバータが、ゼロ交差を含む第１の信号を、負荷に送られる第２の信号に変換するように構成され、第１の信号のゼロ交差で変換を停止する種類のものであり、制御回路が、
−  第１の信号を受信して、第１の信号から、第１の信号のゼロ交差後にコンバータを始動させるためにコンバータに送られる制御信号を導出するためのネットワーク回路
を備える制御回路が提供される。
【０００８】
例えば、第１の信号は、例えば４ダイオードブリッジなど整流器の出力からのものであり、例えば、整流器の出力にバルクコンデンサが存在しない場合にはゼロ交差を含む。この第１の信号を負荷に送られる第２の信号に変換するコンバータが、第１の信号のこれらのゼロ交差で変換を停止する場合、負荷に電力が供給されなくなる。第１の信号を受信して、第１の信号から、第１の信号のゼロ交差後にコンバータを始動させるためにコンバータに送られる制御信号を導出するためのネットワーク回路を追加したことによって、これらのゼロ交差後にも電力が供給される。その結果、ここで、第１の信号のゼロ交差で変換を停止するコンバータさえ使用され得る。これは大きな利点である。
【０００９】
制御回路の一実施形態は、ネットワーク回路が、第１の信号を受信するための直列接続を備え、且つブレークオーバ回路を備え、直列接続が、抵抗回路と主コンデンサとを備え、抵抗回路と主コンデンサとの共通の端子が、ブレークオーバ回路の一方の端子に結合され、ブレークオーバ回路の他方の端子が、制御信号によってコンバータのスイッチング素子を制御するためにコンバータに結合されるように構成される。抵抗回路を介して、主コンデンサが充電される。主コンデンサが十分に充電されるとすぐに、例えばダイアックなどのブレークオーバ回路は、いわゆるブレークオーバを受け、パルスの形態での制御信号が、コンバータを始動させるためにコンバータのスイッチング素子に供給される。
【００１０】
制御回路の一実施形態は、ネットワーク回路が、更にダイオードを備え、抵抗回路と主コンデンサとの共通の端子が、ダイオードの一方の端子に結合され、ダイオードの他方の端子が、コンバータの容量素子を制御するためにコンバータに結合されるように構成されることによって定義される。ダイオードを介して、コンバータの容量素子は、コンバータが始動されるまでは放電され続けるように制御される。
【００１１】
制御回路の一実施形態は、抵抗回路が、１つ又は複数の抵抗を備え、ネットワーク回路が、１つ又は複数の抵抗の少なくとも１つに並列に結合された補助コンデンサを更に備えることによって定義される。この制御回路は、改良された性能を示す。
【００１２】
制御回路の一実施形態は、制御回路が、
−  第１の信号に応じて制御信号を遅延するための第１の調整器回路
を更に備えることによって定義される。コンバータから負荷に伝送される電力の量を制御するために、制御信号が遅延され得る。好ましくは、比較的小さい（大きい）振幅を有する第１の信号に関して、制御信号は、比較的小さく（大きく）遅延され、したがって、比較的変動する振幅を有する入力電圧信号である第１の信号に対して、出力電流信号の形態での第２の信号は比較的一定の振幅を有する。
【００１３】
制御回路の一実施形態は、第１の調整器回路が、第１のトランジスタを備え、第１のトランジスタの主電極が、ネットワーク回路の主コンデンサの端子に結合され、第１のトランジスタの制御電極が、基準素子の出力に結合されることによって定義される。導通状態であるとき、第１のトランジスタは、主コンデンサをブリッジし、遅延の増加をもたらす。基準素子を介して、第１のトランジスタが制御される。
【００１４】
制御回路の一実施形態は、基準素子の制御入力が、１つ又は複数のダイオードを介して、第１の信号を受信するための直列接続の共通の端子に結合されることによって定義される。直列接続は、位相シフトの導入を伴って又は伴わずに、分圧器として働く。
【００１５】
制御回路の一実施形態は、直列接続が、抵抗とコンデンサとを備えることによって定義される。この分圧器は、位相シフトを導入する。
【００１６】
制御回路の一実施形態は、直列接続が、同様の値の２つのコンデンサを備えて中心点を形成し、これら２つのコンデンサの一方が、更なる抵抗と更なるコンデンサとを備える更なる直列接続に並列に結合され、１つ又は複数のダイオードが、更なる抵抗と前記更なるコンデンサとの共通の端子に結合されることによって定義される。この分圧器は、４ダイオードブリッジに対していわゆる中心点を形成する。
【００１７】
制御回路の一実施形態は、制御回路が、
−  負荷パラメータ信号に応じて制御信号を遅延するための第２の調整器回路
を更に備えることによって定義される。ここでも、コンバータから負荷に伝送される電力の量を制御するために、制御信号が遅延され得る。好ましくは、比較的小さい（大きい）振幅を有する負荷パラメータ信号に関して、制御信号は、比較的小さく（大きく）遅延されて、負のフィードバックループを生成する。
【００１８】
制御回路の一実施形態は、第２の調整器回路が、第２のトランジスタを備え、第２のトランジスタの主電極が、ネットワーク回路の主コンデンサの端子に結合され、第２のトランジスタの制御電極が、制御コンデンサに結合されることによって定義される。導通状態であるとき、第２のトランジスタは、主コンデンサをブリッジし、遅延の増加をもたらす。制御コンデンサを充電及び放電することによって、第２のトランジスタが制御される。
【００１９】
制御回路の一実施形態は、制御電極が、更に、負荷の少なくとも一部に並列に結合されるように直列抵抗接続の共通の端子に結合され、負荷パラメータ信号が、負荷の一部の間の電圧信号の振幅であることによって定義される。この場合、負荷の少なくとも一部の間の電圧信号の振幅が制御のために使用される。
【００２０】
制御回路の一実施形態は、制御電極が、更に、負荷の少なくとも一部に直列に結合されるように抵抗に結合され、負荷パラメータ信号が、負荷の一部を通って流れる電流信号の振幅であることによって定義される。この場合、負荷の少なくとも一部を通って流れる電流信号の振幅が制御のために使用される。
【００２１】
第１の信号に応じて制御信号を遅延するための第１の調整器回路と、負荷パラメータ信号に応じて制御信号を遅延するための第２の調整器回路とは、個別に又は組み合わせて使用され得る別々の調整器回路でよく、或いは、第１の信号に応じて、及び／又は１つ又は複数の負荷パラメータ信号に応じて制御信号を遅延するための１つの調整器回路に組み合わされてもよい。
【００２２】
第２の態様によれば、上で定義される制御回路を備え、更にコンバータ及び／又は負荷を備えるデバイスが提供される。
【００２３】
デバイスの一実施形態は、
−  第２の信号をコンバータから負荷に供給するための、コンバータと負荷との間に直列に結合されたインダクタと、
−  負荷を備える１つ又は複数のブランチに並列に結合されたサポートコンデンサと
を更に備えることによって定義される。インダクタは、コンバータに電流源挙動を与える。サポートコンデンサは、特定の状況で逆バイアスされ得る１つ又は複数のダイオードを介して負荷がインダクタに結合される場合に、インダクタを介して到達する出力電流信号が流れ続けるようにするために必要となり得る。サポートコンデンサは、負荷に結合される１つ又は複数のバルクコンデンサと混同されるべきでない。通常、サポートコンデンサは、１つ又は複数のダイオードの第１の側に配置されることがあり、この第１の側は、更にインダクタに結合され、一方、１つ又は複数のバルクコンデンサは、１つ又は複数のダイオードの第２の側に配置されることがあり、この第２の側は、更に負荷に結合される。
【００２４】
負荷は、例えば、発光ダイオードのストリング又は発光ダイオードの２つの逆並列ストリングなど、発光ダイオード回路を備える。発光ダイオード回路は、任意の種類及び任意の組合せの１つ又は複数の発光ダイオードを備える。
【００２５】
非自励コンバータが始動される必要があることが認識される。基本的な着想は、第１の信号を受信して、第１の信号から、入力電圧信号のゼロ交差後にコンバータを始動させるためにコンバータに送られる制御信号を導出するためのネットワーク回路が使用され得ることである。
【００２６】
制御回路を提供するという問題が解決されている。更なる利点は、制御回路が単純であり、低コストであり、ロバストであること、及び電力伝送を調整するように容易に適合され得ることである。
【００２７】
本発明のこれら及び他の態様は、本明細書で以下に述べる実施形態から明らかになり、それらを参照して説明する。
【図面の簡単な説明】
【００２８】
【図１】デバイスの一実施形態を示す図である。
【図２】コンバータ（従来技術）の一実施形態を示す図である。
【図３】制御回路の第１の実施形態を示す図である。
【図４】制御回路の第２の実施形態を示す図である。
【図５】制御回路の第３の実施形態を示す図である。
【図６】負荷を示す図である。
【図７】第１及び第２の実施形態の性能を示す図である。
【図８】第３の実施形態の性能を示す図である。
【発明を実施するための形態】
【００２９】
図１に、デバイスの一実施形態が示されている。このデバイスは、整流器３００と、整流器３００の出力に結合された入力を有するコンバータ１００と、整流器３００の出力に結合された入力、及びコンバータ１００の制御入力に結合された１つ又は複数の制御出力Ｃ１、Ｃ２を有する制御回路１と、コンバータ１００の出力に結合された入力、及び場合によっては制御回路１の１つ又は複数の制御入力Ｃ３、Ｃ４に結合された１つ又は複数の制御出力を有する負荷２００とを備える。
【００３０】
整流器３００は、例えば、主電源から交流電圧信号を受信し、コンバータ１００に送られる直流電圧信号を生成する。整流器３００は、例えば当技術分野で一般的な４ダイオードブリッジを備えるが、ゼロ交差を有する出力信号を生成する他の種類の整流器も除外しない。コンバータ１００は、整流器３００からの出力信号（第１の信号とも呼ばれる）を、負荷２００に送られる第２の信号に変換する。コンバータ１００は、第１の信号のゼロ交差で変換を停止する非自励コンバータである。
【００３１】
制御回路１は、コンバータ１００を制御し、図３〜図５に基づいて論じられるネットワーク回路を備え、このネットワーク回路は、第１の信号を受信し、第１の信号から、第１の信号のゼロ交差後にコンバータ１００を始動させるためにコンバータ１００に送られる制御信号を導出するためのものである。
【００３２】
図２に、（従来技術の）コンバータ１００の一実施形態が示されている。コンバータ１００は、第１の信号を受信するための抵抗１０１と容量素子１０２との直列接続を備える。コンバータ１００は、ここでは、抵抗１０１の一方の側に結合された第１の主電極と、抵抗１０４の一方の側に結合された第２の主電極とを有するトランジスタの形態であるスイッチング素子１０３を備える。抵抗１０４の他方の側は、抵抗１０１の他方の側及び抵抗１０７の一方の側、並びに変圧器の第１の一次巻線１１０の一方の側に結合される。第１の一次巻線１１０の他方の側は、抵抗１０９を介して、スイッチング素子１０３の制御電極に、及び抵抗１０７の他方の側に結合される。
【００３３】
コンバータ１００は、ここでは、コンデンサ１０２の一方の側に結合された第１の主電極と、抵抗１０６の一方の側に結合された第２の主電極とを有するトランジスタの形態であるスイッチング素子１０５を備える。抵抗１０６の他方の側は、コンデンサ１０２の他方の側、抵抗１０８の一方の側、及び抵抗１１４の一方の側に結合される。抵抗１０８の他方の側は、スイッチング素子１０５の制御電極、抵抗１１４の他方の側、及び抵抗１１３の一方の側に結合される。抵抗１１３の他方の側は、変圧器の第２の一次巻線１１１の一方の側に結合される。第２の一次巻線１１１の他方の側は、抵抗１０８及び１１４の一方の側に結合される。
【００３４】
変圧器は、インダクタ１１５の一方の側に結合された一方の側と、第１の一次巻線１１０の一方の側に結合された他方の側とを有する二次巻線１１２を更に備える。インダクタ１１５の他方の側は、直流阻止コンデンサ１１６の一方の側に結合され、直流阻止コンデンサ１１６の他方の側は、コンバータ１００の出力Ｏを形成する。スイッチング素子１０５の制御電極は、第１の制御入力を形成して、制御回路１の第１の制御出力Ｃ１に結合され、二次巻線１１２の他方の側は、第２の制御入力を形成して、制御回路１の第２の制御出力Ｃ２に結合される。代替として、インダクタ１１５及び／又は直流阻止コンデンサ１１６は、コンバータ１００の外部に、コンバータ１００と負荷２００との間に、又は負荷２００の一部として配置され得る。
【００３５】
コンバータ１００は、フィルタリングコンデンサと抵抗との並列回路を更に備えることがあり、この並列回路は、コンバータ１００の入力にあり、上記の直列接続に並列に結合され、更に、コンバータ１００は、整流器３００の出力とコンバータの入力との間に直列に結合された別のインダクタを備えることがある。
【００３６】
図３に、制御回路１の第１の実施形態が示されている。制御回路１は、ネットワーク回路１１〜１６（前述されている）を備える。ネットワーク回路１１〜１６は、抵抗回路１４と主コンデンサ１３との直列接続を備える。ここで、抵抗回路１４は、抵抗１４を備える。直列接続は、第１の信号を受信する。ネットワーク回路１１〜１６は、例えばダイアックなどブレークオーバ回路１１を更に備える。抵抗回路１４と主コンデンサ１３との共通の端子が、ブレークオーバ回路１１の一方の端子に結合され、ブレークオーバ回路１１の他方の端子が、制御信号によってコンバータ１００のスイッチング素子１０５を制御するための制御回路１の第１の制御出力Ｃ１を形成する。この制御は以下のようにして行われる。即ち、抵抗回路１４を介して主コンデンサ１３が充電される。主コンデンサ１３が十分に充電されるとすぐに、ブレークオーバ回路１１は、いわゆるブレークオーバを受け、パルスの形態での制御信号が、コンバータ１００を始動させるためにコンバータ１００のスイッチング素子１０５に供給される。
【００３７】
場合によっては、ネットワーク回路１１〜１６は、ダイオード１２を更に備える。抵抗回路と主コンデンサ１３との共通の端子が、ダイオード１２の一方の端子に結合され、ダイオード１２の他方の端子は、コンバータ１００の容量素子１０２を制御するための制御回路１の第２の制御出力Ｃ２を形成する。この制御は以下のようにして行われる。即ち、ダイオード１２を介して、コンバータ１００の容量素子１０２は、コンバータ１００が制御信号によって始動されるまでは放電され続けるように制御される。
【００３８】
好ましくは、ネットワーク回路１１〜１６の性能を改良するために、ネットワーク回路１１〜１６は、抵抗回路１４の１つ又は複数の抵抗に並列に結合された補助コンデンサ１６を更に備えることがある。
【００３９】
コンバータ１００から負荷２００に伝送される電力の量を調整するために、制御回路１は、第１の信号に応じて制御信号を遅延するための第１の調整器回路１７〜２９を更に備えることがある。制御信号のより大きい遅延は、コンバータ１００の始動をより遅らせ、負荷２００に伝送される電力の量をより減少させる。第１の調整器回路１７〜２９は、第１のトランジスタ１７を備えることがある。第１のトランジスタ１７の主電極は、ネットワーク回路１１〜１６の主コンデンサ１３の端子に結合され、第１のトランジスタ１７の制御電極は、例えばＴＬ４３１ＢＣＤなどの基準素子１９の出力に結合され、基準素子１９は、理想的なスイッチとして働き、導通状態であり、その制御入力での制御電圧が所定の値に達するまでは導通状態を保つ。第１のトランジスタ１７が導通状態である限り、第１のトランジスタ１７は、主コンデンサ１３をブリッジし、主コンデンサ１３は充電され得ない。これは、遅延の増加をもたらす。基準素子１９を介して、第１のトランジスタ１７が制御され得る。
【００４０】
第１のトランジスタ１７の制御電極は、第１のトランジスタ１７の第１の主電極と同様に、抵抗１８を介して補助コンデンサ１６及び抵抗１４に更に結合される。第１のトランジスタ１７の第２の主電極は、基準素子１９のような接地に結合される。基準素子１９の制御入力は、抵抗２０とコンデンサ２１との並列回路を介して接地に結合され、且つ、ツェナーダイオード２２及びダイオード２３を介して、第１の信号を受信するための直列接続の共通の端子に結合される。この場合、基準素子１９及び第１のトランジスタ１７は、整流器３００からの第１の信号の導出値に応じて制御される。直列接続は、抵抗２５とコンデンサ２４とを備えることがあり、この場合、導出値は、第１の信号に対して位相シフトを受ける。
【００４１】
図４に、制御回路１の第２の実施形態が示されており、この実施形態は、ここでは直列接続が同様の値の２つのコンデンサ２６、２７を備えて中心点を形成することのみが、図３に示される第１の実施形態と異なり、この場合、導出値は、整流器３００における中心値と同等である。これら２つのコンデンサ２６、２７の一方は、更なる抵抗２９と更なるコンデンサ２８とを備える更なる直列接続に並列に結合される。ここで、ダイオード２３は、更なる抵抗２９と更なるコンデンサ２８との共通の端子に結合される。
【００４２】
図５に、制御回路１の第３の実施形態が示されている。この制御回路１は、ネットワーク回路１１〜１６に加えて、負荷パラメータ信号に応じて制御信号を遅延するための第２の調整器回路３０、３１を更に備える。ここでも、コンバータ１００から負荷２００に伝送される電力の量が調整されるが、ここでは、負荷パラメータ信号に依存する。第２の調整器回路３０、３１は、第２のトランジスタ３０を備えることがある。第２のトランジスタ３０の主電極は、ネットワーク回路１１〜１６の主コンデンサ１３の端子に結合される。第２のトランジスタ３０の制御電極は、制御コンデンサ３１に結合される。この制御回路１は、ここでは、異なる負荷パラメータに関する情報を受信するための同一の端子によって実現される２つの制御入力Ｃ３、Ｃ４を有する。更に、図５において、抵抗回路は、２つの直列に結合された抵抗１４と１５を備え、補助コンデンサ１６が、抵抗１４に並列に結合される。
【００４３】
図６に、負荷２００が示されている。負荷２００は、ダイオード２０６と、任意の種類及び任意の構造の１つ又は複数の発光ダイオード２０７と、抵抗２０８とを有する第１の直列ブランチ（マスタ）を備える。発光ダイオード２０７及び抵抗２０８に並列に、バルクコンデンサ２０９が存在する。負荷２００は、ダイオード２１１と、任意の種類及び任意の構造の１つ又は複数の発光ダイオード２１２と、抵抗２１３とを有する第２の直列ブランチ（スレーブ）を備える。発光ダイオード２１２及び抵抗２１３に並列に、バルクコンデンサ２１０が存在する。第１と第２の直列ブランチは、コンバータ１００の出力Ｏから第２の信号を受信するいわゆる逆並列ブランチである。
【００４４】
発光ダイオード２０７と抵抗２０８との間の共通の点は、ダイオード２０２の一方の側に結合され、ダイオード２０２の他方の側は、制御回路１の第１の制御入力Ｃ３に結合される。発光ダイオード２０７とダイオード２０６との間の共通の点は、２つの抵抗２０４、２０５の直列接続に結合される。これら２つの抵抗２０４、２０５の共通の点は、ダイオード２０３の一方の側に結合され、ダイオード２０３の他方の側は、制御回路１の第２の制御入力Ｃ４に結合される。制御回路１の第１の制御入力Ｃ３を介して、発光ダイオード２０７を通って流れる電流信号の振幅の形態での負荷パラメータ信号に関する情報が、制御コンデンサ３１に供給される。制御回路１の第２の制御入力Ｃ４を介して、発光ダイオード２０７間の電圧信号の振幅の形態での負荷パラメータ信号に関する情報が、制御コンデンサ３１に供給される。これらの負荷パラメータ信号の値が非常に大きい限り、例えば、制御コンデンサ３１は非常に大きい電荷を有し、第２のトランジスタ３０は導通状態である。
【００４５】
更に、ダイオード２０６と２１１が逆バイアスされる場合に、コンバータ１００の出力Ｏから到達する電流信号が流れ続けることができるように、第１及び第２の直列ブランチに並列にサポートコンデンサ２０１が存在する。代替として、サポートコンデンサ２０１は、コンバータ１００内に配置されてよく、又はコンバータ１００と負荷２００との間に位置してもよい。
【００４６】
図７に、第１及び第２の実施形態の性能が示されている。水平軸は、整流器３００によって提供される電圧信号（第１の信号）の振幅を表し、垂直軸は、負荷２００を通って流れる電流信号の振幅を表す。グラフＣ５は、調整なしの状態であり、グラフＣ６は、第１の調整器回路１７〜２９が活動状態であることにより得られる。明らかに、より安定した性能が達成されている。
【００４７】
図８に、第３の実施形態の性能が示されている。水平軸は、整流器３００によって提供される電圧信号（第１の信号）の振幅を表し、垂直軸は、負荷２００を通って流れる電流信号の振幅を表す。グラフＣ７は、調整なしの状態であり、グラフＣ８は、第２の調整器回路３０、３１が活動状態であることにより得られる。明らかに、より効率的な性能が達成されている。発光ダイオードがその最適な点に達した後は、その発光ダイオードに入る電流を増加させても無益である。
【００４８】
単に一例として、例えば１０ｍｓｅｃである第１の信号の半周期に関して、第１の信号の１８０ボルトの振幅で、遅延は１．２ｍｓｅｃでよく、第１の信号の３００ボルトの振幅で、遅延は５．５ｍｓｅｃでよい。
【００４９】
互いに結合される２つの要素は、間に第３の要素を有さずに直接結合されてよく、又は間に第３の要素を有して間接的に結合されてもよい。図２〜図６は単なる例であり、各要素は、２つ以上の直列要素によって、２つ以上の並列要素によって、又はそれらの組合せによって置き換えられ得る。例えば、各ダイオードは、トランジスタ（の一部）によって置き換えられ得て、各トランジスタは、別のスイッチング素子によって置き換えられ得て、各ブレークオーバ回路は、ダイアックとは別の、しかし同様の機能を有する素子を備えていてよく、コンデンサは、コンデンサと抵抗との直列又は並列接続によって置き換えられ得て、インダクタは、インダクタと抵抗との直列又は並列接続によって置き換えられ得て、インダクタは、変圧器又はその一部によって置き換えられ得て、変圧器の一部を形成し得る。例えば、接地ではなく、別の基準電位が使用されてもよい。
【００５０】
要約すると、非自励コンバータ１００用の制御回路１が、コンバータ１００に入る第１の信号のゼロ交差後にコンバータ１００を始動させるためにコンバータ１００に送られる制御信号を導出するためのネットワーク回路１１〜１６を設けられる。これらの制御信号は、第１の信号から導出される。ネットワーク回路１１〜１６は、抵抗回路１４、１５と主コンデンサ１３との直列接続を備えることがあり、且つ、制御信号によってコンバータ１００のスイッチング素子１０５を制御するためのブレークオーバ回路１１を備えることもある。制御回路１は、第１の信号に応じて、伝送される電力の量を制御するための制御信号を遅延するための第１の調整器回路１７〜２９を更に備えることがあり、更に、１つ又は複数の負荷パラメータ信号に応じて、伝送される電力の量を制御するための制御信号を遅延するための第２の調整器回路３０、３１を備えることがある。
【００５１】
本発明は、図面及び前述の説明で詳細に図示及び説明されているが、そのような図示及び説明は、例説又は例示とみなされ、限定とみなされるべきではない。本発明は、開示される実施形態に限定されない。開示される実施形態に対する他の変形は、図面、本開示、及び添付の特許請求の範囲の検討により、当業者には理解され得て、本願で特許請求される発明を実践する際に実施され得る。特許請求の範囲において、「備える」という語は他の要素又はステップを除外せず、不定冠詞「a」又は「an」は複数形を除外しない。特定の手段が互いに異なる従属請求項に記載されていることだけでは、これらの手段の組合せが有利に使用され得ないことは示さない。特許請求の範囲における任意の参照符号は、範囲を限定するものと解釈されるべきではない。
【図１】
2016524891.tif 000003
【図３】
2016524891.tif 000004
【図４】
2016524891.tif 000005
【図５】
2016524891.tif 000006
【図６】
2016524891.tif 000007
【図７】
2016524891.tif 000008
【図８】
2016524891.tif 000009
【図２】
2016524891.tif 000010
【国際調査報告】
2016524891.tif 000011
2016524891.tif 000012
2016524891.tif 000013